(57)【要約】【課題】  ダイナミックレンジ拡大に伴い発生するスミアを改善する。【解決手段】  第１の光電変換素子列と、入射光の入射光量を減光する減光フィルタを有する第２の光電変換素子列とが、一列ずつ交互に配列された固体撮像素子と、第２の光電変換素子列からの出力信号を、上記減光フィルタによる減光分だけ補正する信号処理部と、固体撮像素子の第１の光電変換素子列に発生するスミアを検出するスミア検出部とを備え、信号処理部が、スミア検出部によって、第１の光電変換素子列に発生するスミアが検出されたことに応じて、第１の光電変換素子列近傍に配列された第２の光電変換素子列からの出力信号を用いて、スミアが発生した第１の光電変換素子列の出力信号に代わる補間信号を生成し、補完処理をすることで実現する。【選択図】  図６
2005051634.tif 000002
【特許請求の範囲】
【請求項１】
第１の光電変換素子列と、入射光の入射光量を減光する減光フィルタを有する第２の光電変換素子列とが、一列ずつ交互に配列された固体撮像素子と、
上記第２の光電変換素子列からの出力信号を、上記減光フィルタによる減光分だけ補正する信号処理手段と、
上記固体撮像素子の上記第１の光電変換素子列に発生するスミアを検出するスミア検出手段とを備え、
上記信号処理手段は、上記スミア検出手段によって、上記第１の光電変換素子列に発生するスミアが検出されたことに応じて、上記第１の光電変換素子列近傍に配列された上記第２の光電変換素子列からの出力信号を用いて、スミアが発生した上記第１の光電変換素子列の出力信号に代わる補間信号を生成し、補完処理をすること
を特徴とする撮像装置。
【請求項２】
隣り合う複数の光電変換素子列からなる第１の光電変換素子列群と、入射光の入射光量を減光する減光フィルタを有する、隣り合う複数の光電変換素子列からなる第２の光電変換素子列群とが、交互に配列された固体撮像素子と、
上記第２の光電変換素子列群からの出力信号を、上記減光フィルタによる減光分だけ補正する信号処理手段と、
上記固体撮像素子の上記第１の光電変換素子列群に発生するスミアを検出するスミア検出手段とを備え、
上記信号処理手段は、上記スミア検出手段によって、上記第１の光電変換素子列群に発生するスミアが検出されたことに応じて、上記第１の光電変換素子列群近傍に配列された上記第２の光電変換素子列群からの出力信号を用いて、スミアが発生した上記第１の光電変換素子列群の出力信号に代わる補間信号を生成し補完処理をすること
を特徴とする撮像装置。
【請求項３】
上記固体撮像素子の上記第１の光電変換素子列群と、上記第２の光電変換素子列群との各光電変換素子は、それぞれ色フィルタを備えていること
を特徴とする請求項２記載の撮像装置。
【請求項４】
第１の光電変換素子列と、入射光の入射光量を減光する減光フィルタを有する第２の光電変換素子列とが、一列ずつ交互に配列された固体撮像素子と、
上記第２の光電変換素子列からの出力信号を、上記減光フィルタによる減光分だけ補正する信号処理手段と、
上記信号処理手段は、上記第２の光電変換素子列に入射される入射光が所定の値以下であった場合、上記第２の光電変換素子列近傍に配列された上記第１の光電変換素子列からの出力信号を用いて、上記第２の光電変換素子列の出力信号に代わる補間信号を生成し補間処理をすること
を特徴とする撮像装置。
【請求項５】
隣り合う複数の光電変換素子列からなる第１の光電変換素子列群と、入射光の入射光量を減光する減光フィルタを有する、隣り合う複数の光電変換素子列からなる第２の光電変換素子列群とが、交互に配列された固体撮像素子と、
上記第２の光電変換素子列群からの出力信号を、上記減光フィルタによる減光分だけ補正する信号処理手段と、
上記信号処理手段は、上記第２の光電変換素子列群に入射される入射光が所定の値以下であった場合、上記第２の光電変換素子列群近傍に配列された上記第１の光電変換素子列群からの出力信号を用いて、上記第２の光電変換素子列群の出力信号に代わる補間信号を生成し補間処理をすること
を特徴とする撮像装置。
【請求項６】
上記固体撮像素子の上記第１の光電変換素子列群と、上記第２の光電変換素子列群との各光電変換素子は、それぞれ色フィルタを備えていること
を特徴とする請求項５記載の撮像装置。
【請求項７】
第１の光電変換素子列と、入射光の入射光量を減光する減光フィルタを有する第２の光電変換素子列とが、一列ずつ交互に配列された固体撮像素子と、
上記第２の光電変換素子列からの出力信号を、上記減光フィルタによる減光分だけ補正する信号処理手段と、
上記固体撮像素子の上記第１の光電変換素子列に発生するスミアを検出するスミア検出手段とを備え、
上記信号処理手段は、上記スミア検出手段によって、上記第１の光電変換素子列に発生するスミアが検出されたことに応じて、上記第１の光電変換素子列近傍に配列された上記第２の光電変換素子列からの出力信号を用いて、スミアが発生した上記第１の光電変換素子列の出力信号に代わる補間信号を生成し補完処理をし、
上記第２の光電変換素子列に入射される入射光が所定の値以下であった場合、上記第２の光電変換素子列近傍に配列された上記第１の光電変換素子列からの出力信号を用いて、上記第２の光電変換素子列の出力信号に代わる補間信号を生成し補間処理をすること
を特徴とする撮像装置。
【請求項８】
隣り合う複数の光電変換素子列からなる第１の光電変換素子列群と、入射光の入射光量を減光する減光フィルタを有する、隣り合う複数の光電変換素子列からなる第２の光電変換素子列群とが、交互に配列された固体撮像素子と、
上記第２の光電変換素子列群からの出力信号を、上記減光フィルタによる減光分だけ補正する信号処理手段と、
上記固体撮像素子の上記第１の光電変換素子列群に発生するスミアを検出するスミア検出手段とを備え、
上記信号処理手段は、上記スミア検出手段によって、上記第１の光電変換素子列群に発生するスミアが検出されたことに応じて、上記第１の光電変換素子列群近傍に配列された上記第２の光電変換素子列群からの出力信号を用いて、スミアが発生した上記第１の光電変換素子列群の出力信号に代わる補間信号を生成し補完処理をし、
上記第２の光電変換素子列群に入射される入射光が所定の値以下であった場合、上記第２の光電変換素子列群近傍に配列された上記第１の光電変換素子列群からの出力信号を用いて、上記第２の光電変換素子列群の出力信号に代わる補間信号を生成し補間処理をすること
を特徴とする撮像装置。
【請求項９】
上記固体撮像素子の上記第１の光電変換素子列群と、上記第２の光電変換素子列群との各光電変換素子は、それぞれ色フィルタを備えていること
を特徴とする請求項８記載の撮像装置。
【請求項１０】
第１の光電変換素子列と、入射光の入射光量を減光する減光フィルタを有する第２の光電変換素子列とが、一列ずつ交互に配列された固体撮像素子の、上記第２の光電変換素子列からの出力信号を、上記減光フィルタによる減光分だけ補正し、
上記固体撮像素子の上記第１の光電変換素子列に発生するスミアを検出し、
上記第１の光電変換素子列に発生するスミアが検出されたことに応じて、上記第１の光電変換素子列近傍に配列された上記第２の光電変換素子列からの出力信号を用いて、スミアが発生した上記第１の光電変換素子列の出力信号に代わる補間信号を生成し補完処理をし、
上記第２の光電変換素子列に入射される入射光が所定の値以下であった場合、上記第２の光電変換素子列近傍に配列された上記第１の光電変換素子列からの出力信号を用いて、上記第２の光電変換素子列の出力信号に代わる補間信号を生成し補間処理をすること
を特徴とする信号処理方法。
【請求項１１】
隣り合う複数の光電変換素子列からなる第１の光電変換素子列群と、入射光の入射光量を減光する減光フィルタを有する、隣り合う複数の光電変換素子列からなる第２の光電変換素子列群とが、交互に配列された固体撮像素子の、上記第２の光電変換素子列群からの出力信号を、上記減光フィルタによる減光分だけ補正し、
上記固体撮像素子の上記第１の光電変換素子列群に発生するスミアを検出し、
上記第１の光電変換素子列群に発生するスミアが検出されたことに応じて、上記第１の光電変換素子列群近傍に配列された上記第２の光電変換素子列群からの出力信号を用いて、スミアが発生した上記第１の光電変換素子列群の出力信号に代わる補間信号を生成し補完処理をし、
上記第２の光電変換素子列群に入射される入射光が所定の値以下であった場合、上記第２の光電変換素子列群近傍に配列された上記第１の光電変換素子列群からの出力信号を用いて、上記第２の光電変換素子列群の出力信号に代わる補間信号を生成し補間処理をすること
を特徴とする信号処理方法。
【発明の詳細な説明】
【技術分野】
【０００１】
本発明は、固体撮像素子を用いた撮像装置に関し、詳しくは、固体撮像素子が備える光電変換素子列に発生するスミアを改善する撮像装置及び信号処理方法に関する。
【背景技術】
【０００２】
被写体のダイナミックレンジが広いと、コントラストがよく高品質な映像が撮像できるため、固体撮像素子を用いた撮像装置では、ダイナミックレンジを拡大するための様々な手法が考案、実施されている。
【０００３】
ダイナミックレンジを拡大する機能を備えた撮像装置として、例えば、２次元配列された複数の光電変換素子の偶数列に、入射光を減光するＮＤフィルタを被覆した固体撮像素子を用いる撮像装置（例えば、特許文献１参照。）や、２次元配列された複数の光電変換素子に市松模様状に減光フィルタを貼り付けた固体撮像素子を用いる撮像装置（例えば、特許文献２参照。）などが開示されている。
【０００４】
【特許文献１】特開２０００−４１１８９号公報
【特許文献２】特開２００２−１１２１１０号公報
【発明の開示】
【発明が解決しようとする課題】
【０００５】
しかし、特開２０００−４１１８９号公報で開示されている撮像装置では、絞り値に応じて、ＮＤフィルタが被覆された光電変換素子列からの出力か、ＮＤフィルタが被覆されていない光電変換素子列からの出力のいずれかを切り替えて用いることになるため、ＮＤフィルタが被覆されていない光電変換素子列からの出力を用いるように切り替えられている際に、スミアが発生した場合、発生したスミアを改善することができないといった問題がある。また、絞り値に応じて光電変換素子列の切り替えを行うため、絞り値検出回路、絞り装置が必要となり、装置が大型化し、コストが増加してしまうといった問題もある。
【０００６】
また、絞り値に応じて、ＮＤフィルタが被覆されている光電変換素子列又はＮＤフィルタが被覆されていない光電変換素子列を切り替えて使用するため、水平解像度が１／２になってしまうといった問題もある。
【０００７】
さらにまた、この撮像装置では、高輝度の被写体を撮像する場合、ＮＤフィルタが被覆されている光電変換素子列の出力のみを使用するように切り替えて、ダイナミックレンジを高輝度側へシフトさせて拡大している。したがって、この被写体内に、シフトされたダイナミックレンジの範囲以下となる領域がある場合、当該領域では、いわゆる黒つぶれが生じてしまうといった問題がある。
【０００８】
一方、特開２００２−１１２１１０号公報で開示されている撮像装置のように、市松模様状に減光フィルタが光電変換素子に貼り付けられていたとしても、スミアは、固体撮像素子の垂直転送部を通して読み出すことに起因して発生するため、１つの画素、つまり１つの光電変換素子から漏れ出た電荷によるスミアの発生を改善することができないといった問題がある。
【０００９】
そこで、本発明は、上述したような問題を解決するために案出されたものであり、小型の装置構成で、水平解像度を低下させずに、スミアの改善をすることを可能とする撮像装置及び信号処理方法を提供することを目的とする。
【課題を解決するための手段】
【００１０】
上述の目的を達成するために、本発明に係る撮像装置は、第１の光電変換素子列と、入射光の入射光量を減光する減光フィルタを有する第２の光電変換素子列とが、一列ずつ交互に配列された固体撮像素子と、上記第２の光電変換素子列からの出力信号を、上記減光フィルタによる減光分だけ補正する信号処理手段と、上記固体撮像素子の上記第１の光電変換素子列に発生するスミアを検出するスミア検出手段とを備え、上記信号処理手段は、上記スミア検出手段によって、上記第１の光電変換素子列に発生するスミアが検出されたことに応じて、上記第１の光電変換素子列近傍に配列された上記第２の光電変換素子列からの出力信号を用いて、スミアが発生した上記第１の光電変換素子列の出力信号に代わる補間信号を生成し、補完処理をすることを特徴とする。
【００１１】
また、上述の目的を達成するために、本発明に係る撮像装置は、隣り合う複数の光電変換素子列からなる第１の光電変換素子列群と、入射光の入射光量を減光する減光フィルタを有する、隣り合う複数の光電変換素子列からなる第２の光電変換素子列群とが、交互に配列された固体撮像素子と、上記第２の光電変換素子列群からの出力信号を、上記減光フィルタによる減光分だけ補正する信号処理手段と、上記固体撮像素子の上記第１の光電変換素子列群に発生するスミアを検出するスミア検出手段とを備え、上記信号処理手段は、上記スミア検出手段によって、上記第１の光電変換素子列群に発生するスミアが検出されたことに応じて、上記第１の光電変換素子列群近傍に配列された上記第２の光電変換素子列群からの出力信号を用いて、スミアが発生した上記第１の光電変換素子列群の出力信号に代わる補間信号を生成し補完処理をすることを特徴とする。
【００１２】
また、上述の目的を達成するために、本発明に係る撮像装置は、第１の光電変換素子列と、入射光の入射光量を減光する減光フィルタを有する第２の光電変換素子列とが、一列ずつ交互に配列された固体撮像素子と、上記第２の光電変換素子列からの出力信号を、上記減光フィルタによる減光分だけ補正する信号処理手段と、上記信号処理手段は、上記第２の光電変換素子列に入射される入射光が所定の値以下であった場合、上記第２の光電変換素子列近傍に配列された上記第１の光電変換素子列からの出力信号を用いて、上記第２の光電変換素子列の出力信号に代わる補間信号を生成し補間処理をすることを特徴とする。
【００１３】
また、上述の目的を達成するために、本発明に係る撮像装置は、隣り合う複数の光電変換素子列からなる第１の光電変換素子列群と、入射光の入射光量を減光する減光フィルタを有する、隣り合う複数の光電変換素子列からなる第２の光電変換素子列群とが、交互に配列された固体撮像素子と、上記第２の光電変換素子列群からの出力信号を、上記減光フィルタによる減光分だけ補正する信号処理手段と、上記信号処理手段は、上記第２の光電変換素子列群に入射される入射光が所定の値以下であった場合、上記第２の光電変換素子列群近傍に配列された上記第１の光電変換素子列群からの出力信号を用いて、上記第２の光電変換素子列群の出力信号に代わる補間信号を生成し補間処理をすることを特徴とする。
【００１４】
また、上述の目的を達成するために、本発明に係る撮像装置は、第１の光電変換素子列と、入射光の入射光量を減光する減光フィルタを有する第２の光電変換素子列とが、一列ずつ交互に配列された固体撮像素子と、上記第２の光電変換素子列からの出力信号を、上記減光フィルタによる減光分だけ補正する信号処理手段と、上記固体撮像素子の上記第１の光電変換素子列に発生するスミアを検出するスミア検出手段とを備え、上記信号処理手段は、上記スミア検出手段によって、上記第１の光電変換素子列に発生するスミアが検出されたことに応じて、上記第１の光電変換素子列近傍に配列された上記第２の光電変換素子列からの出力信号を用いて、スミアが発生した上記第１の光電変換素子列の出力信号に代わる補間信号を生成し補完処理をし、上記第２の光電変換素子列に入射される入射光が所定の値以下であった場合、上記第２の光電変換素子列近傍に配列された上記第１の光電変換素子列からの出力信号を用いて、上記第２の光電変換素子列の出力信号に代わる補間信号を生成し補間処理をすることを特徴とする。
【００１５】
また、上述の目的を達成するために、本発明に係る撮像装置は、隣り合う複数の光電変換素子列からなる第１の光電変換素子列群と、入射光の入射光量を減光する減光フィルタを有する、隣り合う複数の光電変換素子列からなる第２の光電変換素子列群とが、交互に配列された固体撮像素子と、上記第２の光電変換素子列群からの出力信号を、上記減光フィルタによる減光分だけ補正する信号処理手段と、上記固体撮像素子の上記第１の光電変換素子列群に発生するスミアを検出するスミア検出手段とを備え、上記信号処理手段は、上記スミア検出手段によって、上記第１の光電変換素子列群に発生するスミアが検出されたことに応じて、上記第１の光電変換素子列群近傍に配列された上記第２の光電変換素子列群からの出力信号を用いて、スミアが発生した上記第１の光電変換素子列群の出力信号に代わる補間信号を生成し補完処理をし、上記第２の光電変換素子列群に入射される入射光が所定の値以下であった場合、上記第２の光電変換素子列群近傍に配列された上記第１の光電変換素子列群からの出力信号を用いて、上記第２の光電変換素子列群の出力信号に代わる補間信号を生成し補間処理をすることを特徴とする。
【００１６】
また、上述の目的を達成するために、本発明に係る信号処理方法は、第１の光電変換素子列と、入射光の入射光量を減光する減光フィルタを有する第２の光電変換素子列とが、一列ずつ交互に配列された固体撮像素子の、上記第２の光電変換素子列からの出力信号を、上記減光フィルタによる減光分だけ補正し、上記固体撮像素子の上記第１の光電変換素子列に発生するスミアを検出し、上記第１の光電変換素子列に発生するスミアが検出されたことに応じて、上記第１の光電変換素子列近傍に配列された上記第２の光電変換素子列からの出力信号を用いて、スミアが発生した上記第１の光電変換素子列の出力信号に代わる補間信号を生成し補完処理をし、上記第２の光電変換素子列に入射される入射光が所定の値以下であった場合、上記第２の光電変換素子列近傍に配列された上記第１の光電変換素子列からの出力信号を用いて、上記第２の光電変換素子列の出力信号に代わる補間信号を生成し補間処理をすることを特徴とする。
【００１７】
さらにまた、上述の目的を達成するために、本発明に係る信号処理方法は、隣り合う複数の光電変換素子列からなる第１の光電変換素子列群と、入射光の入射光量を減光する減光フィルタを有する、隣り合う複数の光電変換素子列からなる第２の光電変換素子列群とが、交互に配列された固体撮像素子の、上記第２の光電変換素子列群からの出力信号を、上記減光フィルタによる減光分だけ補正し、上記固体撮像素子の上記第１の光電変換素子列群に発生するスミアを検出し、上記第１の光電変換素子列群に発生するスミアが検出されたことに応じて、上記第１の光電変換素子列群近傍に配列された上記第２の光電変換素子列群からの出力信号を用いて、スミアが発生した上記第１の光電変換素子列群の出力信号に代わる補間信号を生成し補完処理をし、上記第２の光電変換素子列群に入射される入射光が所定の値以下であった場合、上記第２の光電変換素子列群近傍に配列された上記第１の光電変換素子列群からの出力信号を用いて、上記第２の光電変換素子列群の出力信号に代わる補間信号を生成し補間処理をすることを特徴とする。
【発明の効果】
【００１８】
本発明は、減光フィルタを備えていない第１の光電変換素子列でスミアが発生した場合、減光フィルタを備える第２の光電変換素子列から得られる出力信号を用いた補間処理をすることで、減光フィルタの減光分だけスミアの発生レベルを引き上げることが可能となる。
【００１９】
また、スミアが発生した第１の光電変換素子列のみに対して補間処理するため、スミアの発生していない第１の光電変換素子列、第２の光電変換素子列に対応する画素の水平解像度の劣化を抑制することが可能となる。
【００２０】
また、入射光量が所定の値よりも少ない場合には、減光フィルタを備えていない第１の光電変換素子列から得られる出力信号を用いた補間処理をすることで、減光フィルタを備えた第２の光電変換素子列によって高輝度側へダイナミックレンジを拡大することによる低輝度側のダイナミックレンジの縮小を回避することができるため、黒つぶれなどの画像欠陥を防止することが可能となる。
【００２１】
また、本発明は、減光フィルタを備えていない第１の光電変換素子列群でスミアが発生した場合、減光フィルタを備える第２の光電変換素子列群から得られる出力信号を用いた補間処理をすることで、減光フィルタの減光分だけスミアの発生レベルを引き上げることが可能となる。
【００２２】
また、スミアが発生した第１の光電変換素子列群のみに対して補間処理するため、スミアの発生していない第１の光電変換素子列群、第２の光電変換素子列群に対応する画素の水平解像度の劣化を抑制することが可能となる。
【００２３】
また、入射光量が所定の値よりも少ない場合には、減光フィルタを備えていない第１の光電変換素子列群から得られる出力信号を用いた補間処理をすることで、減光フィルタを備えた第２の光電変換素子列群によって高輝度側へダイナミックレンジを拡大することによる低輝度側のダイナミックレンジの縮小を回避することができるため、黒つぶれなどの画像欠陥を防止することが可能となる。
【００２４】
さらにまた、絞りや、シャッターを必要としなくとも、スミアを改善し、ダイナミックレンジを拡大することができるため、装置の小型化、コスト削減などを容易に実現することが可能となる。
【発明を実施するための最良の形態】
【００２５】
以下、本発明に係る撮像装置及び信号処理方法を実施するための最良の形態を図面を参照にして詳細に説明する。
【００２６】
図１を用いて、本発明を実施するための最良の形態として示す撮像装置２０について説明をする。
【００２７】
撮像装置２０は、撮像レンズ１と、ＣＣＤ（Charge Coupled Device）２と、ＣＤＳ（Correlated Double Sampling circuit）／ＡＧＣ（Auto Gain Controller）回路３と、Ａ／Ｄ（Analog to Digital）コンバータ４と、信号処理回路５と、ＳＧ（Signal Generator）６と、ＴＧ（Timing Generator）７と、駆動回路（Driver）８と、記憶部９とを備え、被写体を撮像するデジタルスチルカメラである。
【００２８】
ＣＣＤ２は、フォトダイオードなどの光電変換素子からなる複数の画素が２次元配列された固体撮像素子であり、この光電変換素子で、撮像レンズ１を介して入射した光を画素単位で光電変換して、光量に応じた電荷を蓄積する。なお、説明のため、ＣＣＤ２は、蓄積された電荷量から明暗の振幅変化情報のみが得られる白黒用のＣＣＤとする。
【００２９】
図２に示すように、ＣＣＤ２の画素を構成する光電変換素子には、垂直方向、１列おきに、撮像レンズ１からの入射光量を１／ｎ（ｎは、正の実数）倍に減光するＮＤ（Neutral Density）フィルタが備えられている。ＮＤフィルタが備えられていないＣＣＤ２の光電変換素子列を総称して、光電変換素子列２ａとし、ＮＤフィルタが備えられているＣＣＤ２の光電変換素子列を総称して光電変換素子列２ｂとする。
【００３０】
ＣＣＤ２は、蓄積した電荷を図示しない垂直転送レジスタによって垂直転送し、さらに図示しない水平転送レジスタによって水平転送することで２次元配列の水平１ライン毎に電荷を出力させる。ＣＣＤ２から出力された電荷は、ＣＣＤ出力信号としてＣＤＳ／ＡＧＣ回路３に供給される。
【００３１】
ＣＤＳ／ＡＧＣ回路３は、ＣＣＤ２から出力されたＣＣＤ出力信号に含まれるノイズを除去し、さらに撮像時の条件などに応じてゲイン調整をする。ＣＤＳ／ＡＧＣ回路３で、ノイズ除去、ゲイン調整されたＣＣＤ出力信号は、アナログ画像信号として、Ａ／Ｄコンバータ４に供給される。
【００３２】
Ａ／Ｄコンバータ４は、アナログ画像信号を、信号処理回路５による信号処理などが施されていない生のデジタルデータであるデジタル画像ＲＡＷデータに変換し、信号処理回路５に供給する。
【００３３】
信号処理回路５は、当該撮像装置２０における信号処理用のＩＣ（Integrated Circuit）であり、Ａ／Ｄコンバータ４から供給されたデジタル画像ＲＡＷデータを一旦、記憶部９に格納し、格納したデジタル画像ＲＡＷデータを読み出して、所定の信号処理を施し、デジタル画像データを生成する。なお、信号処理回路５の具体的な信号処理については、後で詳細に説明をする。
【００３４】
また、信号処理回路５は、デジタル画像ＲＡＷデータからスミアを検出し、検出したスミアを除去するような信号処理を実行する。信号処理回路５におけるスミアの検出は、現在、考案、実施されている様々な手法を適用することができるが、信号処理回路５においては、例えば、特開平７−６７０３８号公報に開示されている手法を用いるものとする。
【００３５】
特開平７−６７０３８号公報に示す手法でスミア検出を行う場合、ＣＣＤ２には、図３に示すように、有効画素部分１ａの上側の垂直方向１２ラインの光電変換素子に遮光膜を付加する。
【００３６】
この遮光膜を付加した１２ラインの光電変換素子を、光学的黒画素部分１Ｖとすると、有効画素部分１ａにスミアが発生した場合、光学的黒画素部分１Ｖにも同じようにスミアが現れることになる。したがって、この光学的黒画素部分１Ｖから出力される出力信号には、有効画素部分１ａから出力される出力信号と同じレベルでスミア信号が含まれることになる。そこで、信号処理回路５は、この光学的黒画素部分１Ｖにスミア信号が含まれるかどうかを検出することで、有効画素部分１ａのスミアの発生を検出することができる。
【００３７】
具体的には、スミアを検出するスミア検出部５０は、図４に示すような構成となる。信号処理回路５の入力端子５ａに、Ａ／Ｄコンバータ４からデジタル画像ＲＡＷデータが入力されると、スミア検出部５０のセレクト回路５１は、光学的黒画素部分１Ｖに対応する１２ライン分のデジタル画像ＲＡＷデータを抽出し、積分回路５２に供給する。
【００３８】
積分回路５２は、ラインメモリ５３を利用して、垂直方向の光学的黒画素部分１Ｖより、デジタル画像ＲＡＷデータの１２ライン分を画素単位で積分（加算平均）する。このラインメモリ５３には、１ライン分の信号として固定パターンノイズ信号が記憶される。
【００３９】
つまり、積分回路５２で積分（加算平均）したときは、ランダムなノイズ成分は平均化されゼロとなり、有効画素部分１ａにスミアが発生するような場合には、ランダムなノイズに埋もれていた小レベルのスミア信号などの固定パターンノイズ信号が鮮明に現れることになる。
【００４０】
積分回路５２で積分（加算平均）することで得られる固体パターンノイズ信号は、判定回路５４に供給される。判定回路５４は、固定パターンノイズ信号に、際立って高いレベルの信号がある場合、スミアが発生していると判定し、該当する画素に対応する光電変換素子列のアドレスを特定する。
【００４１】
このようにして、信号処理回路５のスミア検出部５０は、有効画素部分１ａに発生するスミアを検出する。
【００４２】
ＳＧ６、ＴＧ７、駆動回路８は、主にＣＣＤ２を駆動するための回路部である。ＳＧ６は、当該撮像装置２０における動作の基準となる基準信号を生成する。また、ＴＧ７は、ＳＧ６から供給される基準信号より各機能部、例えば、ＣＤＳ／ＡＧＣ回路３、駆動回路８の動作を制御するためのタイミング信号を生成する。ＴＧ７より、駆動回路８に供給されるタイミング信号は、ＣＣＤ２の垂直転送レジスタ、水平転送レジスタに出力され、ＣＣＤ２に蓄積された電荷の垂直転送駆動、水平転送駆動に用いられる。
【００４３】
記憶部９は、データの書き込み読み出しが自在なメモリであり、Ａ／Ｄコンバータ４でアナログ画像信号から変換され出力された１フレーム分のデジタル画像ＲＡＷデータを、一時的に記憶する。また、記憶部９は、ＣＣＤ２の光電変換素子列２ｂの各光電変換素子に備えられているＮＤフィルタの減光特性情報も格納している。記憶部９に格納されるＮＤフィルタの減光特性情報は、当該ＮＤフィルタが、入射光を１／ｎ（ｎは、正の実数）倍に減光するといった情報である。
【００４４】
続いて、信号処理回路５における信号処理について詳細に説明をする。
【００４５】
図５に、ＣＣＤ２の光電変換素子列２ａの任意の１画素である光電変換素子２ａ１、光電変換素子列２ｂの任意の１画素である光電変換素子２ｂ１、それぞれについての入射光量と、信号出力の特性を示す。なお、光電変換素子２ａ１以外で、光電変換素子列２ａを構成する各光電変換素子、光電変換素子２ｂ１以外で、光電変換素子列２ｂを構成する各光電変換素子も図５に示す入射光量と、信号出力との関係を満たすものとする。
【００４６】
まず、ＮＤフィルタを備えていない光電変換素子２ａ１の入射光量の変化に応じた信号出力について説明をする。
【００４７】
入射光量が０〜ａである場合、光電変換素子２ａ１から出力される信号は、ノイズ信号であるため、当該撮像装置２０において、この信号を使用しない。入射光量がｄの時、光電変換素子２ａ１からの信号出力は、ホワイトクリップレベルとなる。また、入射光量がｆの時、光電変換素子２ａ１からの信号出力は、光電変換素子列２ａにおいて、スミアが発生するレベルとなる。
【００４８】
続いて、ＮＤフィルタを備えた光電変換素子２ｂ１の入射光量の変化に応じた信号出力について説明をする。
【００４９】
ＮＤフィルタを備えた光電変換素子２ｂ１では、入射された光量がＮＤフィルタによって１／ｎ倍に減光されるため、入射光量が０〜ｂの場合には、信号出力がゼロとなっている。入射光量がｂ〜ｃである場合、光電変換素子２ｂ１から出力される信号は、ノイズ信号であるため、当該撮像装置２０において、この出力信号を使用しない。入射光量がｅの時、光電変換素子２ｂ１からの信号出力は、ホワイトクリップレベルとなる。また、入射光量がｇの時、光電変換素子２ｂ１からの信号出力は、光電変換素子列２ｂにおいて、スミアが発生するレベルとなる。
【００５０】
このように、入射光量に応じた光電変換素子２ａ１及び光電変換素子２ｂ１からの信号出力は、それぞれ異なっている。そのため、信号処理回路５は、ＣＣＤ２から出力され、ＣＤＳ／ＡＧＣ回路３、Ａ／Ｄコンバータ４を介して供給される光電変換素子列２ａからのデジタル画像ＲＡＷデータ及び光電変換素子列２ｂからのデジタル画像ＲＡＷデータに対して、入射光量に応じた、それぞれ異なる信号処理をすることになる。
【００５１】
図６に、信号処理回路５で具体的に実行される、入射光量に応じた光電変換素子列毎の信号処理内容を示す。以下に、図６を用いて、光電変換素子列２ａ、光電変換素子列２ｂから出力され、ＣＤＳ／ＡＧＣ回路３、Ａ／Ｄコンバータ４を介して取得されるそれぞれのデジタル画像ＲＡＷデータに対する信号処理回路５による信号処理を入射光量毎に説明する。なお、上述したように、ＣＤＳ／ＡＧＣ回路３、Ａ／Ｄコンバータ４を介して得られる１フレームのデジタル画像ＲＡＷデータは、記憶部９に格納されているものとする。
【００５２】
（１）入射光量が０〜ａの場合
この期間においては、上述したように、光電変換素子２ａ１から出力される信号は、ノイズ信号のみであるため、光電変換素子列２ａから出力される信号もノイズ信号となる。当該撮像装置２０ではこのノイズ信号を用いないため、信号処理回路５は、光電変換素子列２ａから出力され、記憶部９に格納されたデジタル画像ＲＡＷデータに対する信号処理を行わない。
【００５３】
一方、この期間において、光電変換装置２ｂ１からは、信号出力がないため、光電変換素子列２ｂからも信号出力がないことになる。したがって、記憶部９に信号処理の対象となるデジタル画像ＲＡＷデータが格納されないため、信号処理回路５では、信号処理が実行されない。
【００５４】
（２）入射光量がａ〜ｃの場合
この期間において、信号処理回路５は、光電変換素子列２ａから出力され、記憶部９に格納されたデジタル画像ＲＡＷデータを読み出し、そのまま光電変換素子列２ａに対応する画素のデジタル画像データとして出力する。
【００５５】
一方、この期間において、光電変換素子２ｂ１から出力される信号は、ノイズ信号のみであるため、光電変換素子列２ｂから出力される信号もノイズ信号となる。そこで、このノイズ信号を使用しないように、信号処理回路５は、光電変換素子列２ｂの各画素に対応する補間値を生成する。
【００５６】
例えば、信号処理回路５は、各光電変換素子列２ｂの両隣に配列された光電変換素子列２ａから出力され、記憶部９に格納されたデジタル画像ＲＡＷデータを読み出し、水平方向の画素に対応するデジタル画像ＲＡＷデータ同士の加算平均をとり、光電変換素子列２ｂの各画素に対応する補間値となるデジタル画像データを生成する。
【００５７】
また、信号処理回路５は、各光電変換素子列２ｂのどちらか一方の隣に配列された光電変換素子列２ａから、出力され記憶部９に格納されたデジタル画像ＲＡＷデータを読み出し、光電変換素子列２ｂの各画素に対応する補間値とするようにしてもよい。
【００５８】
（３）入射光量がｃ〜ｆの場合
この期間において、信号処理回路５は、光電変換素子列２ａから出力され、記憶部９に格納されたデジタル画像ＲＡＷデータを読み出し、そのまま光電変換素子列２ａに対応する画素のデジタル画像データとして出力する。
【００５９】
一方、光電変換素子列２ｂから出力され、記憶部９に格納されたデジタル画像ＲＡＷデータは、ＮＤフィルタによって減光された入射光に応じて生成されたデータである。そこで、信号処理回路５は、この光電変換素子列２ｂから出力され、記憶部９に格納されたデジタル画像ＲＡＷデータを減光分だけ補正して、光電変換素子列２ｂの各画素に対応するデジタル画像データを生成する。
【００６０】
例えば、信号処理回路５は、光電変換素子列２ｂから出力され、記憶部９に格納されたデジタル画像ＲＡＷデータと、ＮＤフィルタに関する減光特性情報とを読み出し、デジタル画像ＲＡＷデータをｎ倍して、ＮＤフィルタによる減光分の補正をする。
【００６１】
このとき、ｎ倍したデジタル画像ＲＡＷデータが、ホワイトクリップレベル以上となった場合、信号処理回路５は、ホワイトクリップレベルを用いて、減光分を補正した光電変換素子列２ｂの各画素に対応するデジタル画像データとする。
【００６２】
また、ｎ倍したデジタル画像ＲＡＷデータが、ホワイトクリップレベルよりも小さくなった場合、信号処理回路５は、ｎ倍したデジタル画像ＲＡＷデータを、減光分を補正した光電変換素子列２ｂの各画素に対応するデジタル画像データとして用いる。
【００６３】
ところで、入射光量がａ〜ｆにおける信号処理回路５の信号処理工程を機能ブロック化して示すと、図７のようになる。図７に示すように、記憶部９から読み出された光電変換素子列２ａからのデジタル画像ＲＡＷデータは、入力端子３０，３２から入力され、そのままスルーして出力端子３１，３３からそれぞれ出力される。
【００６４】
入力端子３０，３２から入力された光電変換素子列２ａからのデジタル画像ＲＡＷデータは、加算平均部３７にも供給され、水平方向の画素に対応するデジタル画像ＲＡＷデータ同士が加算平均され、デジタル画像データが生成される。加算平均部３７から出力されたデジタル画像データは、切り替えスイッチ３８に供給される。
【００６５】
一方、記憶部９から読み出された光電変換素子列２ｂからのデジタル画像ＲＡＷデータは、信号処理回路５の入力端子３４から入力され、入射光量検出部３６によって、入射光量がａ〜ｃの範囲内であるかどうかが検出される。
【００６６】
入射光量検出部３６は、入射光量がｃである場合の光電変換素子２ｂ１の信号出力Ｌをしきい値とし、入力端子３４より入力されたデジタル画像ＲＡＷデータがしきい値以下である場合に、入射光量がａ〜ｃの範囲内の信号であるかどうかを検出する。また、入力端子３４から入力された光電変換素子２ｂからのデジタル画像ＲＡＷデータは、乗算部３９に供給されｎ倍されてデジタル画像データとして、切り替えスイッチ３８に供給される。
【００６７】
切り替えスイッチ３８は、入射光量検出部３６の検出結果に応じて、スイッチを切り替え、加算平均部３７から供給されたデジタル画像データか、乗算部３９から供給されたデジタル画像データのどちらかを信号処理結果として出力端子３５を介して出力させる。
【００６８】
入射光量検出部３６は、光電変換素子２ｂから供給されたデジタル画像ＲＡＷデータがしきい値以下であった場合、入射光量がａ〜ｃであると判断する。この判断結果に応じて、切り替えスイッチ３８は、加算平均部３７から供給されるデジタル画像データを、出力端子３５を介して出力させるようにスイッチを切り替える。
【００６９】
また、入射光量検出部３６は、光電変換素子２ｂから供給されたデジタル画像ＲＡＷデータが、しきい値より大きかった場合、入射光量がａ〜ｃ以外、つまりｃ〜ｆであると判断する。この判断結果に応じて、切り替えスイッチ３８は、乗算部３９から供給されるデジタル画像データを、出力端子３５を介して出力させるようにスイッチを切り替える。
【００７０】
（４）入射光量がｆ〜ｇの場合
この期間において、ＮＤフィルタを備えていない光電変換素子列２ａのうち、ある光電変換素子列２ａにおいてスミアが発生している。したがって、スミアの発生している光電変換素子列２ａから出力され、記憶部９に格納されたデジタル画像ＲＡＷデータを使用することはできない。そこで、信号処理回路５は、スミアが発生した光電変換素子列２ａの各画素に対応する補間値を生成する。
【００７１】
例えば、信号処理回路５は、スミアが発生した光電変換素子列２ａの両隣に配列された光電変換素子列２ｂから出力され、記憶部９に格納されたデジタル画像ＲＡＷデータと、減光特性情報とを読み出し、デジタル画像ＲＡＷデータをｎ倍して、ＮＤフィルタによる減光分を補正する。
【００７２】
さらに、信号処理回路５は、このＮＤフィルタによる減光分が補正されたデジタル画像ＲＡＷデータを、水平方向の画素に対応するデジタル画像ＲＡＷデータ同士で加算平均をとり、光電変換素子列２ａの各画素に対応する補間値となるデジタル画像データを生成する。
【００７３】
また、信号処理回路５は、スミアが発生した光電変換素子列２ａのどちらか一方の側に配列された光電変換素子列２ｂから出力され、記憶部９に格納されたデジタル画像ＲＡＷデータを読み出し、ＮＤフィルタによる減光分を補正して、光電変換素子列２ａに対応する補間値とするようにしてもよい。
【００７４】
信号処理回路５は、スミアが発生していない光電変換素子列２ａに関しては、当該光電変換素子列２ａから出力され、記憶部９に格納されたデジタル画像ＲＡＷデータを読み出し、そのまま光電変換素子列２ａに対応する画素のデジタル画像データとして出力する。
【００７５】
一方、信号処理回路５は、光電変換素子列２ｂから出力され、記憶部９に格納されたデジタル画像ＲＡＷデータを減光分だけ補正して、光電変換素子列２ｂの各画素に対応するデジタル画像データを生成する。
【００７６】
例えば、信号処理回路５は、光電変換素子列２ｂから出力され、記憶部９に格納されたデジタル画像ＲＡＷデータと、ＮＤフィルタに関する減光特性情報とを読み出し、デジタル画像ＲＡＷデータをｎ倍して、ＮＤフィルタによる減光分の補正をする。
【００７７】
このとき、ｎ倍したデジタル画像ＲＡＷデータが、ホワイトクリップレベル以上となった場合、信号処理回路５は、ホワイトクリップレベルを用いて、減光分を補正した光電変換素子列２ｂの各画素に対応するデジタル画像データとする。
【００７８】
また、ｎ倍したデジタル画像ＲＡＷデータが、ホワイトクリップレベルよりも小さくなった場合、信号処理回路５は、ｎ倍したデジタル画像ＲＡＷデータを、減光分を補正した光電変換素子列２ｂの各画素に対応するデジタル画像データとして用いる。
【００７９】
ところで、入射光量がｆ〜ｇにおける信号処理回路５の信号処理工程を機能ブロック化して示すと、図８のようになる。図８に示すように、記憶部９から読み出された光電変換素子列２ｂからのデジタル画像ＲＡＷデータは、入力端子４０，４２から入力され、乗算部４６，４７でそれぞれｎ倍されて出力端子４１，４３から出力される。
【００８０】
乗算部４６，４７でｎ倍された光電変換素子列２ａからのデジタル画像ＲＡＷデータは、加算平均部４８にも供給され、水平方向の画素に対応するデジタル画像ＲＡＷデータ同士が加算平均されデジタル画像データが生成される。加算平均部４８から出力されたデジタル画像データは、切り替えスイッチ４９に供給される。
【００８１】
一方、記憶部９から読み出された光電変換素子列２ａからのデジタル画像ＲＡＷデータは、信号処理回路５の入力端子４４から入力され、スミアを検出するスミア検出部５０に供給される。また、入力端子４４から入力された光電変換素子列２ａからのデジタル画像ＲＡＷデータは、デジタル画像データとして切り替えスイッチ４９にも供給される。
【００８２】
切り替えスイッチ４９は、スミア検出部５０によってスミアが検出されなかった場合、入力端子４４から供給されるデジタル画像データを、出力端子４５を介して出力させるようにスイッチを切り替える。
【００８３】
また、切り替えスイッチ４９は、スミア検出部５０によってスミアが検出された場合加算平均部４８から供給されるデジタル画像データを、出力端子４５を介して出力させるようにスイッチを切り替える。
【００８４】
このようにして、撮像装置２０が備える信号処理回路５は、ＮＤフィルタを備えていない光電変換素子列２ａ、ＮＤフィルタを備えた光電変換素子列２ｂからの出力に対して、入射光量に応じてそれぞれ異なる信号処理を行うことで、ダイナミックレンジの拡大に伴って発生するスミアを改善する。
【００８５】
本発明を実施する最良の形態として示した撮像装置２０は、上述したように固体撮像素子として、ＮＤフィルタを備えていない光電変換素子列２ａと、ＮＤフィルタを備えた光電変換素子列２ｂとが１列毎に交互に配列された白黒の画像信号を取得するＣＣＤ２を備え、ＣＣＤ２からの出力を信号処理回路５によって信号処理をしている。
【００８６】
撮像装置２０が備える固体撮像素子は、ＣＣＤ２のようにＮＤフィルタを備えていない光電変換素子列２ａと、ＮＤフィルタを備えた光電変換素子列２ｂとが１列毎に交互に配列されていなくてもよく、ＮＤフィルタを備えていない、隣り合う複数の光電変換素子列からなる光電変換素子列群と、ＮＤフィルタを備えた、隣り合う複数の光電素子列からなる光電変換素子列群とが交互に配列されている場合においても、信号処理回路５によって同様の信号処理を実行することができる。
【００８７】
例えば、カラーの画像信号を取得するために、画素毎に与える色フィルタを２次元配列した色フィルタアレイを備えた固体撮像素子に、ＮＤフィルタを備えていない、隣り合う複数の光電変換素子列からなる光電変換素子列群と、ＮＤフィルタを備えた、隣り合う複数の光電変換素子列からなる光電変換素子列群とが交互に配列されるようにＮＤフィルタを与えると、この固体撮像素子から得られるカラー画像信号に対して、信号処理回路５で信号処理を施すことができ、ダイナミックレンジの拡大に伴って発生するスミアを改善することができる。
【００８８】
固体撮像素子からカラー画像信号を得るために、上記固体撮像素子に与える色フィルタアレイは、色フィルタの色としてＲ（赤）、Ｇ（緑）、Ｂ（青）を用いた原色タイプのフィルタアレイと、Ｍｇ（マゼンタ）、Ｃ（シアン）、Ｙｅ（黄）、Ｇ（緑）を用いた補色タイプのフィルタアレイとがある。
【００８９】
図９に、カラー画像信号を取得するための固体撮像素子として、原色タイプの原色フィルタアレイを用いたＣＣＤ２１を示す。ＣＣＤ２１に備えられる原色フィルタの原色フィルタ配列としては、例えば、図９に示すような、いわゆるベイヤー方式の配列が適用される。
【００９０】
また、ＣＣＤ２１の光電変換素子には、図９に示すように垂直方向２列毎にＮＤフィルタを備えるようにする。ＮＤフィルタを備えた２列の光電変化素子列を、光電変換素子列群２１ｂとし、ＮＤフィルタが備えられていない２列の光電変換素子列を光電変化素子列群２１ａとすると、光電変換素子列群２１ａ，２１ｂは、上述したＣＣＤ２の光電変換素子列２ａ，２ｂにそれぞれ対応することになる。
【００９１】
したがって、撮像装置２０のＣＣＤ２をＣＣＤ２１に代えた場合でも、信号処理回路５による信号処理、例えば、低光量時の光電変換素子列２ｂに対する信号補間処理や、スミアが検出された場合の光電変換素子列２ａに対する信号補間処理及び、それ以外の光電変換素子列２ａ，２ｂに対する信号処理を同じように適用することができる。
【００９２】
次に、図１０に、カラー画像信号を取得するための固体撮像素子として、補色タイプの補色フィルタアレイを用いたＣＣＤ２２を示す。ＣＣＤ２２に備えられる補色フィルタの補色フィルタ配列としては、例えば、図１０に示すような、いわゆるフィールド色差順次方式の配列が適用される。
【００９３】
また、ＣＣＤ２２の光電変換素子には、図１０に示すように垂直方向２列毎にＮＤフィルタを備えるようにする。ＮＤフィルタを備えた２列の光電変化素子列を、光電変換素子列群２２ｂとし、ＮＤフィルタが備えられていない２列の光電変換素子列を光電変化素子列群２２ａとすると、光電変換素子列群２２ａ，２２ｂは、上述したＣＣＤ２の光電変換素子列２ａ，２ｂにそれぞれ対応することになる。
【００９４】
したがって、撮像装置２０のＣＣＤ２をＣＣＤ２２に代えた場合でも、信号処理回路５による信号処理、例えば、低光量時の光電変換素子列２ｂに対する信号補間処理や、スミアが検出された場合の光電変換素子列２ａに対する信号補間処理及び、それ以外の光電変換素子列２ａ，２ｂに対する信号処理を同じように適用することができる。
【００９５】
このようにして、撮像装置２０は、ＮＤフィルタを備えていない光電変換素子列２ａ、光電変換素子列群２１ａ、光電変換素子列群２２ａでスミアが発生した場合、信号処理回路５によって、ＮＤフィルタを備える光電変換素子列２ｂ、光電変換素子列群２１ｂ、光電変換素子列群２２ｂから得られるデジタル画像ＲＡＷデータを用いた補間処理をすることで、光電変換素子列２ａ、光電変換素子列群２１ａ、光電変換素子列群２２ａでスミアが発生する入射光量ｆを、光電変換素子列２ｂ、光電変換素子列群２１ｂ、光電変換素子列群２２ｂでスミアが発生する入射光量ｇまで引き上げることができる。
【００９６】
また、信号処理回路５は、スミアが発生した光電変換素子列２ａ、光電変換素子列群２１ａ、光電変換素子列群２２ａのみに対して補間処理するため、それ以外の光電変換素子列２ａ，２ｂ、光電変換素子列群２１ａ，２１ｂ、光電変換素子列群２２ａ，２２ｂに対応する画素の水平解像度を劣化させることがない。
【００９７】
また、信号処理回路５は、所定のしきい値よりも入射光量が少ない場合には、ＮＤフィルタを備えていない光電変換素子列２ａ、光電変換素子列群２１ａ、光電変換素子列群２２ａから得られるデジタル画像ＲＡＷデータを用いた補間処理をすることで、ＮＤフィルタを備えた光電変換素子列２ｂ、光電変換素子列群２１ｂ、光電変換素子列群２２ｂによって高輝度側へダイナミックレンジを拡大することによる低輝度側のダイナミックレンジの縮小を回避することができるため、黒つぶれなどの画像欠陥を防止することができる。
【００９８】
さらにまた、絞りや、シャッターを必要としなくとも、スミアを改善し、ダイナミックレンジを拡大することができるため、撮像装置の小型化、例えば、携帯端末装置へ適用することが可能となり、容易にコスト削減を実現することができる。
【００９９】
なお、本発明を実施するための最良の形態として示した撮像装置２０は、被写体を静止画像として撮像するデジタルスチルカメラとしたが、本発明は、被写体を静止画像として撮像する場合のみに限定されるものではなく、動画像として撮像した場合にも適用できる。
【図面の簡単な説明】
【０１００】
【図１】本発明の実施するための最良の形態として示す撮像装置の構成を説明するための図である。
【図２】同撮像装置が備える固体撮像素子の構成について説明するための図である。
【図３】同撮像装置が備える固体撮像素子に与える光学的黒画素部分を示した図である。
【図４】同撮像装置が備えるスミア検出部の一例を示した図である。
【図５】同撮像装置が備える固体撮像素子の光電変換素子の入射光量に対する信号出力特性を示した図である。
【図６】同撮像装置が備える信号処理回路の信号処理内容について示した図である。
【図７】同撮像装置が備える信号処理回路において、入射光量が低い場合の信号処理を機能ブロックで示した図である。
【図８】同撮像装置が備える信号処理回路において、入射光量がスミアレベルである場合の信号処理を機能ブロックで示した図である。
【図９】同撮像装置が備える固体撮像素子に与える原色フィルタアレイについて説明するための図である。
【図１０】同撮像装置が備える固体撮像素子に与える補色フィルタアレイについて説明するための図である。
【符号の説明】
【０１０１】
１    撮像レンズ、２    ＣＣＤ（Charge Coupled Device）、３    ＣＤＳ（Correlated Double Sampling circuit）／ＡＧＣ（Auto Gain Controller）回路、４    Ａ／Ｄ（Analog to Digital）コンバータ、５    信号処理回路、６    ＳＧ（Signal Generator）、７    ＴＧ（Timing Generator）、８    駆動回路（Driver）、９    記憶部、５０    スミア検出部
【図１】
2005051634.tif 000003
【図２】
2005051634.tif 000004
【図３】
2005051634.tif 000005
【図４】
2005051634.tif 000006
【図５】
2005051634.tif 000007
【図６】
2005051634.tif 000008
【図７】
2005051634.tif 000009
【図８】
2005051634.tif 000010
【図９】
2005051634.tif 000011
【図１０】
2005051634.tif 000012